(57)【要約】【課題】従来の花器は、保管・輸送に大きなスペースを必要とし、壊れやすいという問題があった。これは、ガラスや陶磁器製にて筒状・壺状等に成形されているためである。【解決手段】四角に開閉自在な折り曲げ線を有する筒状の外枠内に、貯水ポリ袋を装着して花材を挿入する四角に開閉自在な折り曲げ線を有する筒状の内枠を装着し、二つ折りした保持内板と保持外板、及び保持内板の延長上に開閉自在なる折り曲げ線をもって折り返した保持片をもって外枠に係合するところの保持体により掲示ができて、開閉自在な折り曲げ線をもって鋭角に開放した２枚の装着板に設けた弓形の長孔に掲示板を垂直方向に貫通し、この水平装着板に載置し傾斜装着板に貫通するところの保持体に係合された外枠を掲示板に着脱自在に装着し、これを対応的凹凸をもって係合する山形の設置台に着脱自在に載置し、小さなスペースで保管・輸送が可能な折り畳み式組立花器にすることができる。【選択図】図１５
2010137039.tif 000002
【特許請求の範囲】
【請求項１】
開閉自在なる折り曲げ線をもって二つ折りした保持内板と保持外板、及び、前記保持内板の開放縁の延長上に開閉自在なる折り曲げ線をもって折り返したところの保持片からなる保持体のうち、前記保持内板と前記保持外板の間に、四角に配設する開閉自在なる折り曲げ線をもって折り畳まれるところの筒状の外枠の側板を挟着して、前記外枠の開口縁及び前記保持外板の開放縁を、前記保持内板と前記保持外板の二つ折りによる折り曲げ部内と、前記保持内板と前記保持片の折り返しによる折り返し部内にそれぞれ係止し、前記外枠内に水平状態に位置するところの落下防止板の、対向する二辺のうちの一方の辺は開閉自在なる折り曲げ線をもって前記保持内板に接合して、他方の辺の延長上に開閉自在なる折り曲げ線をもって付設するところの傾斜保持板を対応的凹凸をもって前記保持内板に係合し、筒状にて四角に配設する開閉自在なる折り曲げ線をもって折り畳まれるとともに、上部開口縁に沿って貯水ポリ袋の開口縁を接着して花材を挿入するところの内枠を着脱自在に装着する前記外枠を、着脱自在に係合したところの前記保持体により掲示する折り畳み式組立花器。
【請求項２】
装着体を構成する開閉自在なる折り曲げ線をもって鋭角に開放したところの水平装着板と傾斜装着板に、それぞれの開放方向に沿って曲げた弓形の長孔を設け、掲示板の下部面に前記水平装着板の前記長孔に貫通できない厚みをもつところのストッパーを付設して、前記掲示板の上部面のみ前記長孔に貫通し、前記水平装着板上に直立状態にて載置するとともに、前記傾斜装着板の四辺形なる貫通孔に貫通して、前記掲示板に着脱自在に装着した請求項１記載の折り畳み式組立花器。
【請求項３】
前記保持体と前記落下防止板を取り除き、開閉自在なる折り曲げ線をもって形成する断面形状がＬ字形の係止体のうち、一方の垂直係止板は前記外枠内に装着した前記内枠の下部開口部内に嵌合し、他方の水平係止板は前記装着体の前記水平装着板に接合した請求項２記載の折り畳み式組立花器。
【請求項４】
２枚の傾斜板の上辺を開閉自在なる折り曲げ線をもって互いに接合し、対向する下辺は四辺形なる底板の二等分するところの開閉自在なる折り曲げ線に平行する二辺とそれぞれ接合した山形の設置台を、この三辺が直角に当接する方向でもって直立する前記掲示板の裏側に配設し、前記掲示板の下辺及び前記掲示板に装着された前記装着体を、前記傾斜板に対応的凹凸をもって係合するところの前記設置台に、着脱自在に載置した請求項２又は請求項３記載の折り畳み式組立花器。
【発明の詳細な説明】
【技術分野】
【０００１】  本発明は、家庭・事務所等で使用されるもので、主として一輪ざし等の小さな花を生けるための組立花器に関する。
【背景技術】
【０００２】  従来、家庭・事務所等で使用される花器は、ガラスや陶磁器製にて筒状・壺状に成形していた。
【発明の開示】
【発明が解決しようとする課題】
【０００３】  背景技術で述べたガラスや陶磁器製にて筒状・壺状に成形された花器は、形状が筒状・壺状であることより保管・輸送に大きなスペースを必要とすることになる。そして、花を生けた状態で落下等しただけでこれが壊れたり、取り扱い中に物に当たってこれが壊れたりするため細心の注意を払う必要があった。【０００４】  本発明は、従来のこのような問題点に鑑みてなされたものであり、その目的とするところは、小さなスペースで保管・輸送が可能な折り畳み方式とし、落下等して壊れることのない組立花器を提供しようとするものである。
【課題を解決するための手段】
【０００５】  そして、本発明は上記目的を達成するために、開閉自在なる折り曲げ線をもって二つ折りした保持内板と保持外板、及び、前記保持内板の開放縁の延長上に開閉自在なる折り曲げ線をもって折り返したところの保持片からなる保持体のうち、前記保持内板と前記保持外板の間に、四角に配設する開閉自在なる折り曲げ線をもって折り畳まれるところの筒状の外枠の側板を挟着して、前記外枠の開口縁及び前記保持外板の開放縁を、前記保持内板と前記保持外板の二つ折りによる折り曲げ部内と、前記保持内板と前記保持片の折り返しによる折り返し部内にそれぞれ係止し、前記外枠内に水平状態に位置するところの落下防止板の、対向する二辺のうちの一方の辺は開閉自在なる折り曲げ線をもって前記保持内板に接合して、他方の辺の延長上に開閉自在なる折り曲げ線をもって付設するところの傾斜保持板を対応的凹凸をもって前記保持内板に係合し、筒状にて四角に配設する開閉自在なる折り曲げ線をもって折り畳まれるとともに、上部開口縁に沿って貯水ポリ袋の開口縁を接着して花材を挿入するところの内枠を着脱自在に装着する前記外枠を、着脱自在に係合したところの前記保持体により掲示する組立花器とするものである。【０００６】  また、第２の課題解決手段は、装着体を構成する開閉自在なる折り曲げ線をもって鋭角に開放したところの水平装着板と傾斜装着板に、それぞれの開放方向に沿って曲げた弓形の長孔を設け、掲示板の下部面に前記水平装着板の前記長孔に貫通できない厚みをもつところのストッパーを付設して、前記掲示板の上部面のみ前記長孔に貫通し、前記水平装着板上に直立状態にて載置するとともに、前記傾斜装着板の四辺形なる貫通孔に貫通して、前記掲示板に着脱自在に装着する組立花器とするものである。【０００７】  また、第３の課題解決手段は、前記保持体と前記落下防止板を取り除き、開閉自在なる折り曲げ線をもって形成する断面形状がＬ字形の係止体のうち、一方の垂直係止板は前記外枠内に装着した前記内枠の下部開口部内に嵌合し、他方の水平係止板は前記装着体の前記水平装着板に接合する組立花器とするものである。【０００８】  また、第４の課題解決手段は、２枚の傾斜板の上辺を開閉自在なる折り曲げ線をもって互いに接合し、対向する下辺は四辺形なる底板の二等分するところの開閉自在なる折り曲げ線に平行する二辺とそれぞれ接合した山形の設置台を、この三辺が直角に当接する方向でもって直立する前記掲示板の裏側に配設し、前記掲示板の下辺及び前記掲示板に装着された前記装着体を、前記傾斜板に対応的凹凸をもって係合するところの前記設置台に、着脱自在に載置する組立花器とするものである。【０００９】  上記第１の課題解決手段による作用は次の通りである。すなわち、二つ折りした保持内板と保持外板、及び、前記保持内板の開放縁の延長上に折り返したところの保持片からなる保持体のうち、前記保持内板と前記保持外板の間に、筒状の外枠の側板を挟着して、前記外枠の開口縁及び前記保持外板の開放縁を、前記保持内板と前記保持外板の二つ折りによる折り曲げ部内と、前記保持内板と前記保持片の折り返しによる折り返し部内にそれぞれ係止し、前記外枠内に水平状態に位置するところの落下防止板の、対��する二辺のうちの一方の辺は前記保持内板に接合し、他方の辺の延長上に付設するところの傾斜保持板を対応的凹凸をもって前記保持内板に係合し、上部開口縁に沿って貯水ポリ袋の開口縁を接着して花材を挿入するところの筒状の内枠を着脱自在に装着する前記外枠を、着脱自在に係合したところの前記保持体により掲示し、これらは開閉自在なる折り曲げ線をもって扁平状に折り畳みができ、小さなスペースで保管・輸送が可能な折り畳み式組立花器となる。【００１０】  また、第２の課題解決手段による作用は、装着体を構成する鋭角に開放したところの水平装着板と傾斜装着板に、それぞれの開放方向に沿って曲げた弓形の長孔を設け、掲示板の下部面に前記水平装着板の前記長孔に貫通できない厚みをもつところのストッパーを付設して、前記掲示板の上部面のみ前記長孔に貫通し、前記水平装着板上に直立状態にて載置するとともに、前記傾斜装着板の四辺形なる貫通孔に貫通し、これらは開閉自在なる折り曲げ線をもって扁平状に折り畳みができ、小さなスペースで保管・輸送が可能となるとともに、掲示板に着脱自在に装着され、直立状態にて安定する折り畳み式組立花器となる。【００１１】  また、第３の課題解決手段による作用は、前記保持体と前記落下防止板を取り除き、断面形状がＬ字形の係止体のうち、一方の垂直係止板は前記外枠内に装着した前記内枠の下部開口部内に嵌合し、他方の水平係止板は前記装着体の前記水平装着板に接合し、これらも開閉自在なる折り曲げ線をもって扁平状に折り畳みができ、小さなスペースで保管・輸送が可能となるとともに、掲示板に着脱自在に装着され、直立状態にて安定する折り畳み式組立花器となる。【００１２】  また、第４の課題解決手段による作用は、２枚の傾斜板の上辺を互いに接合し、対向する下辺は四辺形なる底板の二等分するところの折り曲げ線に平行する二辺とそれぞれ接合した山形の設置台を、この三辺が直角に当接する方向でもって直立する前記掲示板の裏側に配設し、前記掲示板の下辺及び前記掲示板に装着された前記装着体を、前記傾斜板に対応的凹凸をもって係合し、これらは開閉自在なる折り曲げ線をもって扁平状に折り畳みができ、小さなスペースで保管・輸送が可能となるとともに、前記掲示板に着脱自在に装着され、この掲示板を設置台に着脱自在に載置する折り畳み式組立花器となる。
【発明の効果】
【００１３】  上述したように本発明における小さなスペースで保管・輸送が可能な折り畳み式組立花器は、花材を挿入する内枠、及び、これを装着して外観的に多様なものにするところの外枠が、保持体に着脱自在に係合され、安定した状態にて掲示されることができる。【００１４】  また、小さなスペースで保管・輸送が可能な折り畳み式組立花器が、整形される掲示板に着脱自在に装着され、壁掛花器として安定した直立状態にすることができる。【００１５】  また、保持体及び落下防止板を取り除いたところの外枠及び内枠が、壁掛花器として安定した直立状態にすることができる。【００１６】  また、掲示板に着脱自在に装着された、小さなスペースで保管・輸送が可能な折り畳み式組立花器が、設置台に着脱自在に載置され、卓上花器として安定した直立状態にすることができる。
【発明の実施するための最良の形態】
【００１７】  以下、本発明の実施の形態１〜４を、図１〜図１８に基づいて説明する。
【００１８】  先ず、実施の形態１を示す図１〜図７において、組立花器Ａは、内枠１、貯水ポリ袋２、保持体Ｂ、落下防止体５、外枠６より構成されている。
内枠１は、１枚の厚み０．２ｍｍ程度の厚紙を用い、４枚の長方形の側板１Ａ〜１Ｄからなるところの断面形状が四辺形なる筒状にしたものであり、４角１Ｅ〜１Ｈのうちの角１Ｈにて、一方の側板１Ｄにのり代１Ｉを設けて他方の側板１Ａに合成接着剤で貼り合わせている。
また、４角１Ｅ〜１Ｈに折り曲げ線１Ｊ〜１Ｍを配設して、内枠１は扁平状に折り畳まれることとなる。
また、貯水ポリ袋２は、市販のポリ収納袋の開口縁２Ａを、内枠１の上部開口縁１Ｎに合成接着剤にて接着したところの貯水容器である。
【００１９】  保持体Ｂは、１枚の厚み１ｍｍ程度の厚紙からなり、保持内板３、保持外板４及び保持片３Ｆより構成されており、このうちの保持内板３と保持外板４は、同等なる外形形状にて四辺３Ａ〜３Ｄ、４Ａ〜４Ｄからなる長方形としており、それぞれの上辺３Ａと４Ａを折り曲げ線４Ｅをもって接合して、これを二つ折りして折り曲げ部４Ｆとしている。
また、保持内板３には四辺３Ｇ〜３Ｊからなる保持片３Ｆを設けており、保持内板３の下辺３Ｃに折り返しのできるところの折り曲げ線３Ｋをもって接合して、これを折り返し部３Ｍとしている。
【００２０】  外枠６は、内枠１と同様な要領にて組立するものであり、１枚の厚み０．２ｍｍ程度の厚紙を用い、４枚の長方形の側板６Ａ〜６Ｄからなるところの断面形状が、内枠１より一回り大きいところの四辺形であり、保持内板３及び保持外板４とほぼ同等なる高さからなるところの筒状にしたものであり、４角６Ｅ〜６Ｈのうちの角６Ｈにて、一方の側板６Ｄにのり代６Ｉを設けて他方の側板６Ａに合成接着剤で貼り合わせている。
また、４角６Ｅ〜６Ｈには折り曲げ線６Ｊ〜６Ｍを配設して、外枠６は扁平状に折り畳まれることとなる。
【００２１】  この外枠６内に、保持体Ｂのうちの保持内板３を挿入し、保持片３Ｆは外枠６を貫通する状態となるが、外枠６の四側板６Ａ〜６Ｄのうちの四辺６Ｐ〜６Ｓからなる一側板６Ａを、保持内板３と保持外板４との間に挟着させている。したがって、側板６Ａの上辺６Ｐは折り曲げ部４Ｆ内に係止されることとなる。
また、保持片３Ｆを折り返して、この保持片３Ｆが保持外板４の下辺４Ｃを巻き込んで保持外板４に重ね合わせるならば、この保持片３Ｆは保持外板４と掲示面との間に挟着され、外枠６の側板６Ａの下辺６Ｒとともに、保持外板４の下辺４Ｃも折り返し部３Ｍ内に係止されることとなる。
なお、保持外板４には掲示面に掲示するためのスペースが必要であり、保持片３Ｆの縦辺３Ｈ、３Ｊは保持外板４の縦辺４Ｂ、４Ｄより短いものとしている。
【００２２】  １枚の厚み０．５ｍｍ程度の厚紙からなる落下防止体５は、のり代５Ｅ、落下防止板５Ｐ、斜面保持板５Ｆ及び突起片５Ｍから構成されており、四辺５Ａ〜５Ｄからなる四辺形の落下防止板５Ｐの対向する二辺５Ｂと５Ｄのうちの一方の辺５Ｂに、折り曲げ線５Ｎをもってのり代５Ｅを付設して保持内板３に合成接着剤で貼り合わせ、他方の辺５Ｄには、この落下防止板５Ｐを水平状態に支えるための傾斜保持板５Ｆを折り曲げ線５Ｇをもって付設している。
この斜面保持板５Ｆも四辺５Ｈ〜５Ｋからなる四辺形にて、対向する二辺５Ｉと５Ｋのうちの一方の辺５Ｉは、上記で述べたように落下防止板５Ｐの辺５Ｄと接合しており、他方の辺５Ｋの中央付近には折り曲げ線５Ｌをもって突起片５Ｍを付設し、これに対応して突起片５Ｍが挿入されるところの係合孔３Ｅを保持内板３に設け、この突起片５Ｍが係合孔３Ｅに挿入された状態にて突起片５Ｍを折り曲げて保持内板３に重ね合わせて、これにより落下防止板５Ｐは水平状態にすることができる。
このようにして保持内板３に係合された落下防止体５Ｐ上に内枠１を載置することとなり、外枠６及び保持内板３と保持外板４の高さは、内枠１の高さよりは長くしている。また、落下防止体５を係合したところの保持内板３は外枠６内に装着されており、この四辺形の落下防止板５Ｐは、外枠６を断面形状が四辺形なる筒状に安定させることとなる。
【００２３】  したがって、花材を挿入する内枠１内に、生花をいけるための貯水ができる貯水ポリ袋２が装着され、外枠６は落下防止板５Ｐをもって筒状に安定されるとともに、挿入された花材は落下防止板５Ｐをもって落下防止されることとなり、この内枠１を装着して外観的に多様なものにするところの外枠６は、保持体Ｂに着脱自在に係合されることとなり、この保持外板４により内枠１を装着した外枠６が安定して掲示されることとなるこの組立花器Ａは、開閉自在なる折り曲げ線をもって扁平状に折り畳みができ、小さなスペースで保管・輸送が可能な折り畳み式組立花器Ａとなる。
【００２４】  上記の実施例において、内枠１、保持体Ｂ、落下防止体５、外枠６は厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよい。
また、内枠７を断面形状が四辺形なる筒状としているが、折り畳みが可能なところの円筒であってもよい。
また、外枠６の側板６Ａ〜６Ｄに強度を必要とする場合、上部開口縁で折り返して側板を二重構造とし、さらに、この二重構造の間に別の補強板を下方向より挿入するならば、側板は強度のあるものとなる。
また、貯水ポリ袋２は、ポリ収納袋の開口縁２Ａを内枠１の上部開口縁１Ｎに接着しているが、内枠１の上部開口縁１Ｎに折り返しを設け、この折り返しを、内枠１の上部開口縁１Ｎに接着したポリ収納袋の開口縁２Ａ上に接着するならば、ポリ収納袋はより確実に内枠１に接着できると共に、外観的にも好ましいものとなる。
また、貯水ポリ袋２の貯水容器は必ずしもポリ収納袋とする必要もなく、市販の紙コップやプラスチック等の成形されたものを内枠１内に装着してもよい。
【００２５】  また、保持内板３に係合する落下防止体５の落下防止板５Ｐにより、外枠６の断面形状が四辺形の筒状に安定しているが、四辺３Ａ〜３Ｄからなる長方形の保持内板３の対向する縦辺３Ｂ、３Ｄに沿った延長上に、それぞれ開閉自在なる折り曲げ線をもって、保持内板３面に直角に位置するところの一対の補強板を設ける、すなわち、コ字形の断面形状の保持内板とし、この保持内板に落下防止体５を係合して外枠６内に装着するならば、外枠６の断面形状が四辺形の筒状により安定することとなる。
また、落下防止体５の突起片５Ｍを保持内板３の係合孔３Ｅに挿入し、これを折り曲げて保持内板３に重ね合わせて、落下防止板５Ｐを水平状態に安定させているが、斜面保持板５Ｆの辺５Ｋに折り曲げ線をもって保持内板３に重ね合わされるところの接合板を設け、この接合板と保持内板３との間に着脱自在なる面ファスナーを付設して、落下防止板５Ｐを水平状態に安定させるようにしてもよい。
【００２６】  また、この組立花器Ａは、保持外板４を接着剤や両面テープにて掲示してもよいが、着脱自在とするために押しピンや面ファスナーをもって掲示してもよいし、また、保持外板４だけでなく保持片３Ｆにて掲示してもよいことは言うまでもない。
また、外枠６の側板６Ａの上辺６Ｐは、二つ折りした保持内板３と保持外板４の折り曲げ部４Ｆ内に、下辺６Ｒは保持内板３と保持片３Ｆとの折り返し部３Ｍ内にそれぞれ係止されているが、この折り曲げ部４Ｆと折り返し部３Ｍの上下の位置を反対にする、すなわち、保持内板３の下辺３Ｃと保持外板４の下辺４Ｃを接合して二つ折りとし、保持内板３の上辺３Ａの延長上に保持片３Ｆを設けてもよい。
また、保持外板４と保持片３Ｆは重なり合うようにしているが、保持外板４に嵌合孔を設け、この嵌合孔に嵌合できるところの嵌合円板を保持片３Ｆに付設するならば、嵌合孔と嵌合円板が嵌合し、重ね合わされた保持片３Ｆと保持外板４のそれぞれの縦辺３Ｈ、３Ｊと４Ｂ、４Ｄはズレルことなく、外観的にも好ましいものにすることができる。
また、掲示しようとする掲示板に係合孔が設けられるのであれば、保持片３Ｆや保持外板４に開閉自在なる折り曲げ線をもって掲示片を付設して、これを挿入して四辺形なる係合孔の下辺にて、掲示板裏面に重なり合うように掲示片を折り返すならば、この掲示片は係合孔に係止されることとなり、このような組立花器はこの掲示板に掲示できるものとなる。この時、この掲示板裏面と掲示片との間に着脱自在となる面ファスナーを付設するならば、より安定して掲示されることとなる。
【００２７】  次に、実施の形態２を示す図８〜図１１において、組立花器Ｃは、内枠１、貯水ポリ袋２、保持体Ｂ、落下防止体５、外枠６、掲示板９、装着体Ｄより構成されている。
実施の形態２は、上記実施の形態１における組立花器Ａを、装着体Ｄをもって掲示板９に掲示する場合の実施例である。
なお、内枠１、貯水ポリ袋２、保持体Ｂ、落下防止体５、外枠６は、実施の形態１におけるものと共通であり、小さなスペースで保管・輸送が可能な折り畳み式組立花器となるものである。
【００２８】  掲示板９は、厚み０．５ｍｍ程度の四辺９Ａ〜９Ｄからなる四辺形の厚紙からなる。
また、装着体Ｄは、１枚の厚み１ｍｍ程度の厚紙からなるところの水平装着板７と傾斜装着板８から構成されており、それぞれ四辺７Ａ〜７Ｄ、８Ａ〜８Ｄからなる長方形としており、このうちの短辺７Ａと８Ｃを折り曲げ線７Ｅをもって折り曲げ部７Ｆとして互いに接合している。
なお、水平状態に位置する水平装着板７に対して、折り曲げ部７Ｆを支点として約４５度程度の角度をもって傾斜装着板８は開放されている。
また、水平装着板７と傾斜装着板８には、巾は掲示板９の厚みに近いけれども、水平装着板７と傾斜装着板８が開放した状態でもって掲示板９が垂直方向にスムーズに貫通できるところの、開放方向となる長辺７Ｂ、７Ｄと８Ｂ、８Ｄに沿って弓形なる長孔７Ｇ、８Ｅをそれぞれ設けている。
また、装着体Ｄが貫通した掲示板９より落下することのないように、掲示板９裏面の下辺９Ｃの両端には、長孔７Ｇ、８Ｅを貫通できない厚みの厚紙からなる四辺形のストッパー９Ｅ、９Ｆを合成接着剤にて接着している。
また、水平装着板７上には実施の形態１における組立花器Ａを直立状態に載置し、傾斜装着板８には直立した組立花器Ａが貫通できるところの四辺形の貫通孔８Ｆを設けている。
【００２９】  したがって、開閉自在なる折り曲げ線をもって水平装着板７と傾斜装着板８を約４５度程度の角度をもって開放したところの装着体Ｄも、小さなスペースで保管・輸送が可能となるものであり、また、水平装着板７と傾斜装着板８の弓形なる長孔７Ｇ、８Ｅに、まず、掲示板９の上辺９Ａから水平装着板７に貫通させる手順でもって、掲示板９を垂直状態に貫通させるならば、掲示板９は長孔７Ｇ、８Ｅに沿って弓形なる状態に整形され、外観的に多様なものにすることができる。
なお、この水平装着板７は掲示板９のストッパー９Ｅ、９Ｆに係止されて、着脱自在に装着される装着体Ｄは掲示板９より落下することはないものとなる。
また、水平装着板７上に組立花器Ａを直立状態に載置し、傾斜装着板８の貫通孔８Ｆに直立した組立花器Ａを貫通するならば、組立花器Ａは装着体Ｄに着脱自在に装着される、すなわち、掲示板９に着脱自在に装着されることなり、組立花器Ｃは安定した直立状態にすることができる。
【００３０】  上記の実施例において、掲示板９、装着体Ｄは厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよいし、小型の蝶番を付設してもよい。
また、この組立花器Ｃは、掲示板９を押しピンや面ファスナーをもって掲示してもよいし、吊り下げフックや吊り下げ紐をもって掲示してもよい。
また、組立花器Ａが装着体Ｄの水平装着板７上に載置されて内枠１は落下することはなくなり、外枠６内に装着された落下防止体５は必ず必要とするものではなくなり、内枠１と外枠６を同等な高さとして、落下防止体５を除去してもよい。
また、外枠６の側板６Ａの下辺６Ｒとともに保持外板４の下辺４Ｃを、保持片３Ｆによる折り返し部３Ｍ内に必ずしも係止させる必要もないことから、保持内板３、保持外板４及び保持片３Ｆより構成された保持体Ｂのうちの保持片３Ｆを切り取っても問題はない。
なお、この時、保持内板３の縦辺３Ｂ、３Ｄと保持外板４の縦辺４Ｂ、４Ｄは、外枠６の側板６Ａの縦辺６Ｑ、６Ｓと同等な高さとしているが、保持内板３の縦辺３Ｂ、３Ｄと保持外板４の縦辺４Ｂ、４Ｄを、外枠６の側板６Ａの縦辺６Ｑ、６Ｓより長いものとし、この保持内板３と保持外板４の先端を水平装着板７に設けた長方形の係合孔に挿入するならば、水平装着板７上に載置するところの組立花器は、より安定した状態にて載置できることとなる。
【００３１】  また、装着体Ｄは、鋭角に開放したところの水平装着板７と傾斜装着板８の二辺にて構成されているが、傾斜装着板８の開放縁の短辺８Ａの延長上に折り曲げ線をもって垂直板を設けて、この端部を水平装着板７上に載置し、さらに、この垂直板の端部に設けた係合片を、これに対応するところの水平装着板７に設ける係合孔に挿入するならば、装着体は折り畳みできるところの環状に形成されるものとなり、より安定したものにすることができる。
この時、水平装着板７と傾斜装着板８及び垂直板を正面より見た姿は三角形を形成しているが、これを四辺形または円形等の曲線のあるものとして、この上部においては上述の実施例の傾斜装着板８の要領にて組立花器Ａを貫通し、下部においては水平装着板７の要領にて組立花器Ａを載置してもよい。
また、傾斜装着板８の貫通孔８Ｆは、四辺が傾斜装着板８の四辺８Ａ〜８Ｄにそれぞれ平行するところの四辺形としているが、この形状を例えば菱形に近いもの等とし、傾斜装着板８の四辺８Ａ〜８Ｄにある程度の角度をもつところの四辺にて形成して、装着するところの外枠６の側板が、水平装着板７及び傾斜装着板８の辺７Ｂ、８Ｂに平行としないものとなっても問題はない。
【００３２】  次に、実施の形態３を示す図１２〜図１４において、組立花器Ｋは、内枠１、貯水ポリ袋２、外枠６、掲示板９、装着体Ｄ、係止体Ｌより構成されている。
実施の形態３は、上記実施の形態２における内枠１及び外枠６に係合した保持体Ｂ、落下防止体５を取り除き、係止体Ｌをもって内枠１及び外枠６を装着体Ｄに固定する場合の実施例である。
なお、内枠１、貯水ポリ袋２、外枠６、掲示板９、装着体Ｄは、実施の形態２におけるものと共通であり、小さなスペースで保管・輸送が可能な折り畳み式組立花器となるものである。ただし、内枠１の四辺形の断面形状の大きさは、外枠６内にスムーズに出し入れできる範囲にて外枠６より一回り小さいものとし、内枠１と外枠６はほぼ同等な高さとしている。
【００３３】  係止体Ｌは、１枚の厚み１ｍｍ程度の厚紙からなり、四辺Ｌ１〜Ｌ４からなる垂直係止板ＬＡと、四辺Ｌ５〜Ｌ８からなる水平係止板ＬＢを折り曲げ線Ｌ９をもって断面形状をＬ字形に形成し、装着体Ｄの水平装着板７に接合するものである。
なお、この垂直係止板ＬＡの上辺Ｌ１は、内枠１の断面形状の対角線１Ｐより短い長さとしており、垂直係止板ＬＡは、外枠６内に装着された内枠１の下部開口部１Ｑ内に嵌合されることとなる。この時、垂直係止板ＬＡがスムーズに挿入できるように、垂直係止板ＬＡの上辺Ｌ１の両端は丸みをもつところの曲線にて形成されている。
また、垂直係止板ＬＡを嵌合した内枠１及び外枠６が、傾斜装着板８の貫通孔８Ｆに貫通して水平装着板７上に直立状態となる位置において、水平係止板ＬＢを装着体Ｄの水平装着板７に合成接着剤にて接着している。
【００３４】  したがって、内枠１及び外枠６は、断面形状がＬ字形の係止体Ｌの一方の垂直係止板ＬＡに直立状態でもって嵌合し、他方の水平装着板７は装着体Ｄの水平装着板７に接着されて、貯水ポリ袋２を装着した内枠１及び外枠６は装着体Ｄに着脱自在に装着される、すなわち、掲示板９に着脱自在に装着されることなり、組立花器Ｋは安定した直立状態にすることができると共に、開閉自在なる折り曲げ線をもって扁平状に折り畳みができ、小さなスペースで保管・輸送が可能な折り畳み式組立花器Ｋとなる。
【００３５】  上記の実施例において、係止体Ｌは厚紙製としているが、これをプラスチック板や木製板等とし、折り曲げ線を要する角には折り曲げできるところの紙や、軟質なるプラスチック板等を使用してもよいし、小型の蝶番を付設してもよい。
また、係止体Ｌは垂直係止板ＬＡと水平係止板ＬＢを、１枚の厚紙より断面形状をＬ字形に形成しているが、この係止体Ｌと同等なる形状の補強係止体を設け、この補強係止体の補強垂直係止板と実施例の垂直係止板ＬＡを、垂直係止板ＬＡの上辺Ｌ１にて折り曲げ線をもって連結して、２枚の補強垂直係止板と垂直係止板ＬＡを重ね合わせるならば、強度的に好ましいものとなる。また、水平係止板ＬＢの辺Ｌ５に相当する補強水平係止板の先端が、装着体Ｄの水平装着板７と傾斜装着板８が交わる折り曲げ部７Ｆ、又は、掲示板９に接触できる程度の補強水平係止板の大きさとするならば、補強水平係止板の位置は規制され、重ね合わせた２枚の補強垂直係止板と垂直係止板ＬＡは安定した直立状態にすることができる。なお、扁平状に折り畳む場合のために補強係止体の補強水平係止板を、装着体Ｄの水平装着板７に接着しないことは言うまでもない。
また、係止体Ｌの水平係止板ＬＢの外形形状は四辺形としているが、内枠１の四辺形なる断面形状を対角線１Ｐにて２分割して形成される三角形より一回り小さい三角形とするならば、この水平係止板ＬＢは載置する外枠６の側板６Ａ〜６Ｄよりはみ出すことはなく、外観的に好ましいものとなる。
【００３６】  次に、実施の形態４を示す図１５〜図１８において、組立花器Ｊは、内枠１、貯水ポリ袋２、保持体Ｂ、落下防止体５、外枠６、掲示板９、装着体Ｄ、設置台Ｅより構成されている。
実施の形態４は、上記実施の形態２における装着体Ｄをもって掲示板９に掲示するところの組立花器Ｃを、設置台Ｅに載置する場合の実施例である。
なお、内枠１、貯水ポリ袋２、保持体Ｂ、落下防止体５、外枠６、掲示板９、装着体Ｄは、実施の形態２におけるものと共通であり、小さなスペースで保管・輸送が可能な折り畳み式組立花器となるものである。
【００３７】  設置台Ｅは、厚み１ｍｍ程度の厚紙からなるところの一対の傾斜板Ｆ、Ｇと、厚み０．５ｍｍ程度の厚紙からなる底板Ｈより構成されている。
底板Ｈは、四辺Ｈ１〜Ｈ４からなる四辺形にて、対向する二辺Ｈ１とＨ３には開閉自在なる折り曲げ線Ｈ５、Ｈ６をもってのり代Ｈ８、Ｈ９を設け、さらに、折り曲げ線Ｈ５とＨ６の間を二等分するところの開閉自在なる折り曲げ線Ｈ７を設けている。
また、傾斜板Ｆ、Ｇは、上辺Ｆ１、Ｇ１にて開閉自在なる折り曲げ線Ｅ１をもって接合されたものであり、対向する下辺Ｆ２、Ｇ２には上述の底板Ｈののり代Ｈ８、Ｈ９をそれぞれ合成接着剤にて接着している。
したがって、設置台Ｅは倒れることのない山形に成形されることとなるが、傾斜板Ｆ、Ｇの上辺Ｆ１、Ｇ１、及び、底板Ｈの３ヶ所の折り曲げ線Ｅ１、Ｈ５〜Ｈ７をもって扁平状に折り畳みができ、小さなスペースで保管・輸送が可能なものとなる。
【００３８】  この設置台Ｅを、装着体Ｄに装着された掲示板９の裏側に、上辺Ｆ１、Ｇ１及び下辺Ｆ２、Ｇ２が直角に交わる方向でもって配設しており、傾斜板Ｆ、Ｇの一部が装着体Ｄ又は掲示板９に接触することとなる。
なお、傾斜板Ｆ、Ｇの外形形状は四辺形なるものから、下辺Ｆ２、Ｇ２に平行するところの装着下辺Ｆ５、Ｇ５と、対向する縦辺のうちの掲示板９に接触しない縦辺Ｆ８、Ｇ８に平行するところの装着縦辺Ｆ６、Ｇ６に囲まれる部分を除去したような形であり、側面からみた傾斜板ＦはＬ字形であり、傾斜板Ｇは逆Ｌ字形からなる外形形状となっている。
この装着下辺Ｆ５、Ｇ５には、載置する掲示板９の下辺９Ｃの２ヶ所が係合される切込溝Ｆ３、Ｇ３を設けている。また、装着縦辺Ｇ６には、装着体Ｄの傾斜装着板８の長孔８Ｅに設けた切込溝８Ｇに係合される上方向を向いた突起片Ｇ４を設けている。
したがって、掲示板９の下辺９Ｃが傾斜板Ｆ、Ｇの装着下辺Ｆ５、Ｇ５に係合され、装着体Ｄの傾斜装着板８が傾斜板Ｇの装着縦辺Ｇ６に係合されて、装着体Ｄに装着された掲示板９は、設置台Ｅに着脱自在に安定して載置されることとなり、組立花器Ｊは安定した直立状態にすることができる。
【００３９】  上記の実施例において、実施の形態２における組立花器Ｃを掲示板９に掲示しているが、実施の形態３における組立花器Ｋを掲示板９に掲示してもよい。
また、設置台Ｅは厚紙製としているが、これをプラスチック板や木製板等とし、折り曲げ線を要する角には折り曲げできるところの紙や、軟質なるプラスチック板等を使用してもよい。また、片方に折り曲げできるところののり代を付設して互いに接着してもよいし、小型の蝶番を付設してもよい。
また、掲示板９が設置台Ｅに安定して着脱自在に載置されるために、一対の傾斜板Ｆ、Ｇのうちの傾斜板Ｇの装着縦辺Ｇ６と傾斜装着板８を係合しているが、係合する位置は低くなるけれども、倒れることがないのであれば傾斜板Ｆと係合しても問題はない。もちろん、傾斜板Ｆ、Ｇの両方にて係合してもよいことは言うまでもない。
また、四辺Ｈ１〜Ｈ４からなる底板Ｈの対向する二辺Ｈ１、Ｈ３の長さは、傾斜板Ｆ、Ｇの下辺Ｆ２、Ｇ２と同等としているが、必ず同等とする必要もなく、山形に組立した設置台Ｅが倒れることのない範囲で、傾斜板Ｆ、Ｇの下辺Ｆ２、Ｇ２より短いものであってもよい。
また、設置台Ｅを山形に組立した場合の正面から見た底板Ｈは、扁平状に折り畳みするために二等分するところの折り曲げ線Ｈ７により、完全にフラットにはなりにくく外観的には好ましいとは言えないものになるので、この底板Ｈの上にほぼ同等の大きさをもって重なり合い、設置台Ｅの下辺Ｆ２、Ｇ２に平行する二辺のうちの片方の辺には折り曲げ線をもってのり代を設けて、傾斜板Ｆ、Ｇのうちの片方の傾斜板に接着するところの押さえ板を設け、この押さえ板の四辺のうち、載置される掲示板９に平行となる二辺に底板Ｈを巻き込むようにそれぞれ折り返しを設けるならば、底板Ｈは扁平状に折り畳みができる押さえ板の中に包まれてフラットとなり、外観的に問題のないものとなる。
【図面の簡単な説明】
【００４０】
【図１】本発明の実施の形態１を示す組立花器Ａの側面より見た要部断面図
【図２】同組立られた状態の内枠の平面より見た要部断面図
【図３】同組立られた状態の保持体の側面より見た要部断面図
【図４】同保持体の展開図
【図５】同落下防止体の展開図
【図６】同組立られた状態の外枠の平面より見た要部断面図
【図７】同外枠の側板６Ａの正面図
【図８】本発明の実施の形態２を示す組立花器Ｃの側面より見た要部断面図
【図９】同掲示板の正面図
【図１０】同開放された状態の装着体の正面より見た要部断面図
【図１１】同装着体の展開図
【図１２】本発明の実施の形態３を示す組立花器Ｋの側面より見た要部断面図
【図１３】同係止体の展開図
【図１４】同係止体を接着した開放された状態の装着体の正面より見た要部断面図
【図１５】本発明の実施の形態４を示す組立花器Ｊの側面より見た要部断面図
【図１６】同組立られた状態の設置台の正面より見た要部断面図
【図１７】同傾斜板の展開図
【図１８】同底板の展開図
【符号の説明】
【００４１】                                            Ａ、Ｃ、Ｊ、Ｋ  組立花器
Ｂ  保持体
Ｄ  装着体
Ｅ  設置台
Ｅ１、Ｈ５〜Ｈ７、１Ｊ〜１Ｍ、３Ｋ、４Ｅ、５Ｇ、５Ｌ、５Ｎ
６Ｊ〜６Ｍ、７Ｅ、Ｌ９  折り曲げ線
Ｆ、Ｇ  傾斜板
Ｈ  底板
Ｈ８、Ｈ９、１Ｉ、６Ｉ、５Ｅ  のり代
Ｈ１〜Ｈ４、３Ａ〜３Ｄ、３Ｇ〜３Ｊ、４Ａ〜４Ｄ、５Ａ〜５Ｄ
５Ｈ〜５Ｋ、６Ｐ〜６Ｓ、７Ａ〜７Ｄ、８Ａ〜８Ｄ、９Ａ〜９Ｄ
Ｌ１〜Ｌ８  辺
Ｆ１、Ｇ１  上辺
Ｆ２、Ｇ２  下辺
Ｆ３、Ｇ３、８Ｇ  切込溝
Ｇ４、５Ｍ  突起片
Ｆ５、Ｇ５  装着下辺
Ｆ６、Ｇ６  装着縦辺
Ｆ８、Ｇ８  縦辺
Ｌ  係止体
ＬＡ  垂直係止板
ＬＢ  水平係止板
１  内枠
１Ａ〜１Ｄ、６Ａ〜６Ｄ  側板
１Ｅ〜１Ｈ、６Ｅ〜６Ｈ  角
１Ｎ  上部開口縁
１Ｐ  対角線
１Ｑ  下部開口部
２  貯水ポリ袋
２Ａ  開口縁
３  保持内板
３Ｅ  係合孔
３Ｆ  保持片
３Ｍ  折り返し部
４  保持外板
４Ｆ、７Ｆ  折り曲げ部
５  落下防止体
５Ｆ  傾斜保持板
５Ｐ  落下防止板
６  外枠
７  水平装着板
７Ｇ、８Ｅ  長孔
８  傾斜装着板
８Ｆ  貫通孔
９  掲示板
９Ｅ、９Ｆ  ストッパー
【図１】
2010137039.tif 000003
【図２】
2010137039.tif 000004
【図３】
2010137039.tif 000005
【図４】
2010137039.tif 000006
【図５】
2010137039.tif 000007
【図６】
2010137039.tif 000008
【図７】
2010137039.tif 000009
【図８】
2010137039.tif 000010
【図９】
2010137039.tif 000011
【図１０】
2010137039.tif 000012
【図１１】
2010137039.tif 000013
【図１２】
2010137039.tif 000014
【図１３】
2010137039.tif 000015
【図１４】
2010137039.tif 000016
【図１５】
2010137039.tif 000017
【図１６】
2010137039.tif 000018
【図１７】
2010137039.tif 000019
【図１８】
2010137039.tif 000020